(57)【要約】【課題】ハウジング内部で端子を無駄なく配置し、低背化、小型化を図ること、端子間の高い絶縁性を得ること、ごみの侵入防止機構が採りやすい機構とすることにある。【解決手段】ハウジングの内部に少なくとも２個の端子を取り付け、外部にシェルを被せ、接触ピンの挿抜により端子間を開閉するスイッチ付き同軸コネクタにおいて、一方の端子は、ハウジングに一側方から圧入され、この圧入部分から伸びた垂直部と上端の水平な接触片とで逆Ｌ字形に構成し、他方の端子は、ハウジングに他側方から圧入され、この圧入部分から伸びた下向きＵ字形のばね部の端部の水平な押圧部と、この押圧部の側辺の一部を直角に折曲した接触片とでＬ字形に構成し、一方の端子の接触片と他方の端子の接触片が逆Ｌ字形とＬ字形とで略４角形状態で接離するように配置する。【選択図】図１
2010003413.tif 000002
【特許請求の範囲】
【請求項１】
絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記一方の端子は、前記ハウジングに一側方から圧入され、この圧入部分から伸びた垂直部と上端の水平な接触片とで逆Ｌ字形に構成し、前記他方の端子は、前記ハウジングに他側方から圧入され、この圧入部分から伸びた下向きＵ字形のばね部の端部の水平な押圧部と、この押圧部の側辺の一部を直角に折曲した接触片とでＬ字形に構成し、前記一方の端子の接触片と他方の端子の接触片が前記逆Ｌ字形とＬ字形とで略４角形状態で接離するように配置したことを特徴とするスイッチ付き同軸コネクタ。
【請求項２】
ハウジングは、上半分が背の低い円筒部をなし、下半分が左右にやや突出した端子支持突部と前後にやや突出した回り止め突部とにより背の低い４角形をなし、前記円筒部の中央の上端から貫通してピン差し込み孔を穿設し、このピン差し込み孔の下部に連通して可動空隙部と接触片移動溝を形成し、前記左右の端子支持突部に、一方のノーマルクローズ端子を圧入する端子圧入溝を前記可動空隙部に連通して水平方向に穿設し、他方のコモン端子を圧入する端子圧入溝を前記接触片移動溝に連通して水平方向に穿設したことを特徴とする請求項１記載のスイッチ付き同軸コネクタ。
【請求項３】
他方のコモン端子が可動するための可動空隙部と一方のノーマルクローズ端子の端子圧入溝との間を遮蔽壁部で遮蔽し、この遮蔽壁部の側方部分に、ノーマルクローズ端子の接触片とコモン端子の接触片が接離するための前記接触片移動溝を形成したことを特徴とする請求項２記載のスイッチ付き同軸コネクタ。
【請求項４】
一方のノーマルクローズ端子は、端子圧入溝に圧入される水平な圧入部を有し、この圧入部から垂直部を経た上端の水平な側辺部が接触片を構成し、前記圧入部の中央部分が横向きＵ字形に折曲されて接続端子部を構成し、他方のコモン端子は、端子圧入溝に圧入される水平な圧入部を有し、この圧入部から立ち上げて下向きＵ字形に湾曲してばね部を構成し、このばね部の端部の水平部分を押圧部とし、この押圧部の側辺の一部を直角に折曲して接触片とし、前記圧入部の中央部分が横向きＵ字形に折曲されて接続端子部を構成していることを特徴とする請求項１、２又は３記載のスイッチ付き同軸コネクタ。
【発明の詳細な説明】
【技術分野】
【０００１】
本発明は、携帯電話機などの小型の電子機器に内蔵されるコネクタであって、より小型・低背化を図りつつスイッチオン時のアイソレーション性能を向上せしめたスイッチ付き同軸コネクタに関するものである。
【背景技術】
【０００２】
従来のスイッチ付き同軸コネクタ１０は、図７及び図８に示されるものが知られている（特許文献１、２）。
これらの図において、スイッチ付き同軸コネクタ１０は、直径が２ｍｍ程度と極めて小さなもので、絶縁材からなるハウジング１３と、導電性金属からなるシェル１４とノーマルクローズ端子１５とコモン端子１６とで構成されている。
前記ハウジング１３は、上半分が円筒部１７で、中央にピン差し込み孔１７ａが穿設されている。また、ハウジング１３の下半分に、一方の端子支持突部１８と他方の端子支持突部２０を１８０度間隔で外方に突出させるとともに、これらに直交した２箇所に回り止め突部２２が突出させて一体に形成されている。
前記シェル１４は、上半分が前記円筒部１７に嵌合する円筒部２３で、下半分に前記端子支持突部１８と端子支持突部２０にまたがってグランド端子部２５が一体に形成され、これらグランド端子部２５の間の回り止め係止部２６が前記回り止め突部２２に係止される。
【０００３】
前記ノーマルクローズ端子１５は、ピン逃げ孔３０を穿設した接触部２７の一端をクランク形に折曲し、両側部が圧入支持突片２９となり、中央部が横向きＵ字形の接続端子部２８となっている。また、垂直部分には、コモン端子１６のばね部３２の先端が接触しないように逃げ孔３８が形成されている。
前記コモン端子１６は、接触片３１からばね部３２にかけて横向きＵ字形に折曲し、このばね部３２の先端部が前記コモン端子１６の逃げ孔３８に遊嵌するように突出し、このばね部３２の上端部の先端が前記コモン端子１６の接触部２７の下面に接離する接触片３１を構成し、この接触片３１のやや内側が接触ピン３５の押圧部３９となる。また、前記ばね部３２に連続する両側部分が圧入支持突片３３となり、中央部が横向きＵ字形の接続端子部３４となっている。
【０００４】
以上の構成において、前記ノーマルクローズ端子１５の圧入支持突片２９を、一方の端子支持突部１８における端子圧入部１９に圧入し、また、コモン端子１６の圧入支持突片３３を、他方の端子支持突部２０の端子圧入部２１に圧入する。すると、コモン端子１６のばね部３２の先端がノーマルクローズ端子１５の逃げ孔３８に遊嵌しつつ折り返して組み込まれる。前記シェル１４は、ハウジング１３の円筒部１７に被せると、回り止め係止部２６が回り止め突部２２の両側部に係合固着される。
【０００５】
このようにして組み立てられたスイッチ付き同軸コネクタ１０は、プリント基板１２の上の配線パターンに、グランド端子部２５、接続端子部２８、接続端子部３４が電気的に接続されると共に機械的に固定される。
スイッチ付き同軸コネクタ１０に、プローブ１１を差し込むと、プローブ１１の接触ピン３５がピン差し込み孔１７ａに差し込まれてコモン端子１６の押圧部３９を鎖線のように押し下げ、コモン端子１６の接触部３１がノーマルクローズ端子１５の接触部２７から離れて接続が解除される。プローブ１１の膨出部３７がシェル１４の係止溝２４に係止された状態でプローブ１１は接続状態が保持される。
【特許文献１】特開平１１−３０７１８８号公報
【特許文献２】意匠登録第１２３４２１４号公報
【発明の開示】
【発明が解決しようとする課題】
【０００６】
従来のスイッチ付き同軸コネクタ１０は、次のような問題があった。
（１）コモン端子１６のばね部３２が横向きのＵ字形をなしているため、押圧部３９からばね部３２の底部までの距離が長くなり、スイッチ付きコネクタ１０としての背がそれだけ高くなり小型化に支障をきたしている。
（２）コモン端子１６のばね部３２と接触部３０の距離が近いので、接触ピン３５のストロークを大きくとる必要があり、（１）と同様、小型化に支障をきたしている。
（３）コモン端子１６のばね部３２の先端がノーマルクローズ端子１５の逃げ孔３８に遊嵌しつつ折り返して組み込まれるので、コモン端子１６のばね部３２の先端とノーマルクローズ端子１５の逃げ孔３８とが接近しており、高い絶縁性が得られない。
（４）プローブ１１の接触ピン３５を挿入するピン差し込み孔１７ａの位置と、接触部２７と接触片３１の接離する位置が近いためピン差し込み孔１７ａからのごみの侵入を防止する機構が採りにくい。
（５）ノーマルクローズ端子１５の接触部２７、コモン端子１６の接触部３１、押圧部３９、ばね部３２がプローブ１１の接触ピン３５の挿入方向に直線的に配置されているため、円筒部１７の内部における端子の配置に偏りがあり、小型化に支障をきたしている。
【０００７】
本発明の目的は、円筒部１７の内部における端子を無駄なく配置し、低背化、小型化を図ること、ノーマルクローズ端子とコモン端子が互いに接近する箇所をなくし、高い絶縁性を得ること、ごみの侵入を防止する機構が採りやすい機構とすることにある。
【課題を解決するための手段】
【０００８】
本発明による請求項１記載のスイッチ付き同軸コネクタは、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記一方の端子は、前記ハウジングに一側方から圧入され、この圧入部分から伸びた垂直部と上端の水平な接触片とで逆Ｌ字形に構成し、前記他方の端子は、前記ハウジングに他側方から圧入され、この圧入部分から伸びた下向きＵ字形のばね部の端部の水平な押圧部と、この押圧部の側辺の一部を直角に折曲した接触片とでＬ字形に構成し、前記一方の端子の接触片と他方の端子の接触片が前記逆Ｌ字形とＬ字形とで略４角形状態で接離するように配置したことを特徴とする。
【０００９】
本発明による請求項２記載のスイッチ付き同軸コネクタは、ハウジングは、上半分が背の低い円筒部をなし、下半分が左右にやや突出した端子支持突部と前後にやや突出した回り止め突部とにより背の低い４角形をなし、前記円筒部の中央の上端から貫通してピン差し込み孔を穿設し、このピン差し込み孔の下部に連通して可動空隙部と接触片移動溝を形成し、前記左右の端子支持突部に、一方のノーマルクローズ端子を圧入する端子圧入溝を前記可動空隙部に連通して水平方向に穿設し、他方のコモン端子を圧入する端子圧入溝を前記接触片移動溝に連通して水平方向に穿設したことを特徴とする。
【００１０】
本発明による請求項３記載のスイッチ付き同軸コネクタは、他方のコモン端子が可動するための可動空隙部と一方のノーマルクローズ端子の端子圧入溝との間を遮蔽壁部で遮蔽し、この遮蔽壁部の側方部分に、ノーマルクローズ端子の接触片とコモン端子の接触片が接離するための前記接触片移動溝を形成したことを特徴とする。
【００１１】
本発明による請求項４記載のスイッチ付き同軸コネクタは、一方のノーマルクローズ端子は、端子圧入溝に圧入される水平な圧入部を有し、この圧入部から垂直部を経た上端の水平な側辺部が接触片を構成し、前記圧入部の中央部分が横向きＵ字形に折曲されて接続端子部を構成し、他方のコモン端子は、端子圧入溝に圧入される水平な圧入部を有し、この圧入部から立ち上げて下向きＵ字形に湾曲してばね部を構成し、このばね部の端部の水平部分を押圧部とし、この押圧部の側辺の一部を直角に折曲して接触片とし、前記圧入部の中央部分が横向きＵ字形に折曲されて接続端子部を構成していることを特徴とする。
【発明の効果】
【００１２】
請求項１記載の発明によれば、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記一方の端子は、前記ハウジングに一側方から圧入され、この圧入部分から伸びた垂直部と上端の水平な接触片とで逆Ｌ字形に構成し、前記他方の端子は、前記ハウジングに他側方から圧入され、この圧入部分から伸びた下向きＵ字形のばね部の端部の水平な押圧部と、この押圧部の側辺の一部を直角に折曲した接触片とでＬ字形に構成し、前記一方の端子の接触片と他方の端子の接触片が前記逆Ｌ字形とＬ字形とで略４角形状態で接離するように配置したので、接触ピンのストロークを従来に比較して大幅に短くでき、スイッチ付きコネクタとしての背を低くでき、また、コモン端子のばね部に連続する押圧部と接触片の距離を長くでき、接触ピンのストロークを小さくでき、さらに、円筒部の内部における端子の配置に無駄がなく、スイッチ付き同軸コネクタの大幅な小型化が可能である。
【００１３】
請求項２記載の発明によれば、ハウジングは、上半分が背の低い円筒部をなし、下半分が左右にやや突出した端子支持突部と前後にやや突出した回り止め突部とにより背の低い４角形をなし、前記円筒部の中央の上端から貫通してピン差し込み孔を穿設し、このピン差し込み孔の下部に連通して可動空隙部と接触片移動溝を形成し、前記左右の端子支持突部に、一方のノーマルクローズ端子を圧入する端子圧入溝を前記可動空隙部に連通して水平方向に穿設し、他方のコモン端子を圧入する端子圧入溝を前記接触片移動溝に連通して水平方向に穿設したので、他方のコモン端子と一方のノーマルクローズ端子との接触片以外の部分が確実に分離され、高い絶縁性が得られる。
【００１４】
請求項３記載の発明によれば、他方のコモン端子が可動するための可動空隙部と一方のノーマルクローズ端子の端子圧入溝との間を遮蔽壁部で遮蔽し、この遮蔽壁部の側方部分に、ノーマルクローズ端子の接触片とコモン端子の接触片が接離するための前記接触片移動溝を形成したので、遮蔽壁部でピン差し込み孔からのごみの侵入を防止することができる。
【００１５】
請求項４記載の発明によれば、一方のノーマルクローズ端子は、端子圧入溝に圧入される水平な圧入部を有し、この圧入部から垂直部を経た上端の水平な側辺部が接触片を構成し、前記圧入部の中央部分が横向きＵ字形に折曲されて接続端子部を構成し、他方のコモン端子は、端子圧入溝に圧入される水平な圧入部を有し、この圧入部から立ち上げて下向きＵ字形に湾曲してばね部を構成し、このばね部の端部の水平部分を押圧部とし、この押圧部の側辺の一部を直角に折曲して接触片とし、前記圧入部の中央部分が横向きＵ字形に折曲されて接続端子部を構成したので、各端子の組み込み作業性に優れている。
【発明を実施するための最良の形態】
【００１６】
本発明のスイッチ付き同軸コネクタは、絶縁材からなるハウジングの内部に導電材からなり互いに接離する少なくとも２個の端子、具体的には、ノーマルクローズ端子とコモン端子を取り付け、外部にシェルを被せ、プローブなどの接触ピンの挿抜により前記端子間を開閉するスイッチ付き同軸コネクタにおいて、前記一方のノーマルクローズ端子は、前記ハウジングに一側方から圧入され、この圧入部分から伸びた垂直部と上端の水平な接触片とで逆Ｌ字形に構成し、前記他方のコモン端子は、前記ハウジングに他側方から圧入され、この圧入部分から伸びた下向きＵ字形のばね部の端部の水平な押圧部と、この押圧部の側辺の一部を直角に折曲した接触片とでＬ字形に構成し、前記一方のノーマルクローズ端子の接触片と他方のコモン端子の接触片が前記逆Ｌ字形とＬ字形とで略４角形状態で接離するように配置する。
【００１７】
前記ハウジングは、上半分が背の低い円筒部をなし、下半分が左右にやや突出した端子支持突部と前後にやや突出した回り止め突部とにより背の低い４角形をなし、前記円筒部の中央の上端から貫通してピン差し込み孔を穿設し、このピン差し込み孔の下部に連通して可動空隙部と接触片移動溝を形成し、前記左右の端子支持突部に、一方のノーマルクローズ端子を圧入する端子圧入溝を前記可動空隙部に連通して水平方向に穿設し、他方のコモン端子を圧入する端子圧入溝を前記接触片移動溝に連通して水平方向に穿設する。
【００１８】
他方のコモン端子が可動するための可動空隙部と一方のノーマルクローズ端子の端子圧入溝との間を遮蔽壁部で遮蔽し、この遮蔽壁部の側方部分に、ノーマルクローズ端子の接触片とコモン端子の接触片が接離するための前記接触片移動溝を形成する。
【００１９】
一方のノーマルクローズ端子は、端子圧入溝に圧入される水平な圧入部を有し、この圧入部から垂直部を経た上端の水平な側辺部が接触片を構成し、前記圧入部の中央部分が横向きＵ字形に折曲されて接続端子部を構成し、他方のコモン端子は、端子圧入溝に圧入される水平な圧入部を有し、この圧入部から立ち上げて下向きＵ字形に湾曲してばね部を構成し、このばね部の端部の水平部分を押圧部とし、この押圧部の側辺の一部を直角に折曲して接触片とし、前記圧入部の中央部分が横向きＵ字形に折曲されて接続端子部を構成する。
【実施例１】
【００２０】
本発明の実施例１を図１ないし図６に基づき説明する。
本発明によるスイッチ付き同軸コネクタ９は、上半分が円筒形をなし、下半分が４角形をなシ、全体で可能な限り背が低くなるように構成したもので、プラスチック材料などの絶縁材料からなるハウジング４０と、導電性金属板の絞り加工等によるシェル４１と、さらに、導電性金属板のプレス加工等による少なくとも２個の端子、具体的には、ノーマルクローズ端子１５とコモン端子１６とから構成されている。
【００２１】
前記ハウジング４０は、上半分が背の低い円筒部４４をなし、下半分が左右にやや突出した端子支持突部４６と前後にやや突出した回り止め突部４７とにより背の低い４角形をなしている。前記円筒部４４の中央の上端から貫通してピン差し込み孔４５が穿設され、このピン差し込み孔４５の下部に連通して可動空隙部６７と接触片移動溝５０が形成されている。
前記左右の端子支持突部４６には、それぞれノーマルクローズ端子４２を圧入する端子圧入溝４８が接触片移動溝５０に連通して水平方向に穿設され、また、コモン端子４３を圧入する端子圧入溝４９が前記可動空隙部６７に連通して水平方向に穿設されている。
前記可動空隙部６７と端子圧入溝４８の間の中央部分が遮蔽壁部６５で遮蔽されている。そして、この遮蔽壁部６５の側方部分に前記接触片移動溝５０が形成され、ノーマルクローズ端子４２の接触片５７とコモン端子４３の接触片６２が接離するために必要な空間となっている。
【００２２】
前記シェル４１は、上半分が前記ハウジング４０に上から被さるような円筒形をなし、この円筒部の内側にハウジング嵌合孔５１が穿設され、外側全周囲に係止溝５５が形成されている。このシェル４１の下半部には、１８０度間隔で外向きにハ字形に折曲したグランド端子部５６が形成され、これらグランド端子部５６の間は回り止め溝５３と係止部５２が形成されている。このグランド端子部５６と係止部５２は、前記ハウジング４０と組み立てられた後は、図１及び図２に示すように垂直に折曲される。
【００２３】
前記ノーマルクローズ端子４２は、図４、図５に示すように、前記端子圧入溝４８に圧入される水平な圧入部５９を有し、この圧入部５９から垂直部５４を経た上端の水平な側辺部が接触片５７を構成し、また、圧入部５９の中央部分が横向きＵ字形に折曲されて接続端子部５８を構成している。５９ａは、圧入突部である。
前記コモン端子４３は、図４、図５に示すように、前記端子圧入溝４９に圧入される水平な圧入部６０を有し、この圧入部６０から立ち上げて下向きＵ字形に湾曲してばね部６１を構成し、このばね部６１の先端部の水平部分を押圧部６８とし、この押圧部６８の側辺の一部を直角に立ち上げて接触片６２とし、また、圧入部６０の中央部分が横向きＵ字形に折曲されて接続端子部６３を構成している。６０ａは、圧入突部である。
【００２４】
以上のように構成された各部品の組み立てを説明する。
図３に示すように、ハウジング４０の端子圧入溝４８に一方のノーマルクローズ端子４２の圧入部５９を圧入すると、ノーマルクローズ端子４２の接触片５７が接触片移動溝５０に臨ませられ、かつ、接続端子部５８がハウジング４０の下面に臨ませられて圧入突部５９ａにて固定的に取り付けられる。
ハウジング４０の端子圧入溝４９に他方のコモン端子４３の圧入部６０を圧入すると、コモン端子４３のばね部６１が可動空隙部６７に遊嵌し、かつ、押圧部６８が遮蔽壁部６５の側面にやや隙間を以て臨ませられるとともに、接触片６２が接触片移動溝５０に遊嵌してノーマルクローズ端子４２の接触片５７に下面から接触し、かつ、接続端子部６３がハウジング４０の下面に臨ませられて圧入突部６０ａにて固定的に取り付けられる。
【００２５】
このようにコモン端子４３の接触片６２とノーマルクローズ端子４２の接触片５７が接触片移動溝５０の位置で相対するだけで、ノーマルクローズ端子４２とコモン端子４３の他の部分は遮蔽壁部６５で遮断される。
ついでシェル４１のハウジング嵌合孔５１にハウジング４０の円筒部４４を嵌合し、シェル４１の回り止め溝５３にハウジング４０の回り止め突部４７を嵌合する（図２の鎖線状態）。嵌合後、係止部５２とグランド端子部５６を内側に折り込むと、係止部５２が回り止め突部４７の下面に、また、グランド端子部５６が端子支持突部４６の下面にそれぞれ折込み係止して固着される。
【００２６】
以上のように組み立てられたスイッチ付き同軸コネクタ９は、接続端子部５８、接続端子部６３、グランド端子部５６をプリント基板１２のプリント配線パターン部分に載せて半田等で電気的に接続すると共に、機械的に固着する。
スイッチ付き同軸コネクタ９のピン差し込み孔４５にプローブ１１の接触ピン３５を差し込むと、接触ピン３５は、ピン差し込み孔４５から遮蔽壁部６５の壁面に案内されてコモン端子４３の押圧部６８を可動空隙部６７内で垂直方向に押し下げ、これに伴い、接触片移動溝５０内のコモン端子４３の接触片６２がノーマルクローズ端子４２の接触片５７から離れる。そのため、ノーマルクローズ端子４２は電気的に開放し、コモン端子４３が接触ピン３５と接続する。また、プローブ１１のシェル３６がシェル４１に接触してグランド端子部５６へ接続される。プローブ１１の差し込みにより、シェル３６の膨出部３７がスイッチ付き同軸コネクタ９の係止溝５５に係止する。
【００２７】
プローブ１１をスイッチ付き同軸コネクタ９から引き抜くと、プローブ１１の膨出部３７がスイッチ付き同軸コネクタ９の係止溝５５から外れ、接触ピン３５がピン差し込み孔４５から抜き去られてコモン端子４３の押圧部６８がばね部６１の作用により弾性復帰し、コモン端子４３の接触片６２がノーマルクローズ端子４２の接触片５７に接触して元に戻る。
【００２８】
前記実施例では、ハウジング４０内の端子として、ノーマルクローズ端子４２とコモン端子４３の２個が内蔵されている場合について説明したが、少なくとも２個であればよく、端子の数に限定されない。
また、２個の端子は、ノーマルクローズ端子４２とコモン端子４３に限定される必要はない。
本発明によるスイッチ付き同軸コネクタ９に、測定用プローブ１１を挿抜する場合について説明したが、これに限られるものではなく、２個の端子が接触ピンの挿抜で開閉するものであればよい。
【図面の簡単な説明】
【００２９】
【図１】本発明によるスイッチ付き同軸コネクタ９の一実施例を示すもので、プローブ１１を挿入した状態の図６のＡ−Ａ線縦断面図である。
【図２】図１における右側面図である。
【図３】本発明によるスイッチ付き同軸コネクタ９の一実施例を示す図６のＢ−Ｂ線縦断面図である。
【図４】本発明によるスイッチ付き同軸コネクタ９の一実施例を示す分解斜視図である。
【図５】本発明によるスイッチ付き同軸コネクタ９におけるノーマルクローズ端子４２とコモン端子４３の組み立て後の斜視図である。
【図６】（ａ）は、図３のＣ−Ｃ線縦断面図、（ｂ）は、図３のＤ−Ｄ線縦断面図である。
【図７】従来のスイッチ付き同軸コネクタ１０の各部品の分解斜視図である。
【図８】従来のスイッチ付き同軸コネクタ１０にプローブ１１を挿入した状態の縦断面図である。
【符号の説明】
【００３０】
９…本発明によるスイッチ付き同軸コネクタ、１０…従来のスイッチ付き同軸コネクタ、１１…プローブ、１２…プリント基板、１３…ハウジング、１４…シェル、１５…ノーマルクローズ端子、１６…コモン端子、１７…円筒部、１８…端子支持突部、１９…端子圧入部、２０…端子支持突部、２１…端子圧入部、２２…回り止め突部、２３…円筒部、２４…係止溝、２５…グランド端子部、２６…回り止め係止部、２７…接触部、２８…接続端子部、２９…圧入支持突片、３０…ピン逃げ孔、３１…接触片、３２…ばね部、３３…圧入支持突片、３４…接続端子部、３５…接触ピン、３６…シェル、３７…膨出部、４０…ハウジング、４１…シェル、４２…ノーマルクローズ端子、４３…コモン端子、４４…円筒部、４５…ピン差し込み孔、４６…端子支持突部、４７…回り止め突部、４８…端子圧入溝、４９…端子圧入溝、５０…接触片移動溝、５１…ハウジング嵌合孔、５２…係止部、５３…回り止め溝、５４…垂直部、５５…係止溝、５６…グランド端子部、５７…接触片、５８…接続端子部、５９…圧入部、５９ａ…圧入突部、６０…圧入部、６０ａ…圧入突部、６１…ばね部、６２…接触片、６３…接続端子部、６５…遮蔽壁部、６７…可動空隙部、６８…押圧部。
【図１】
2010003413.tif 000003
【図２】
2010003413.tif 000004
【図３】
2010003413.tif 000005
【図４】
2010003413.tif 000006
【図５】
2010003413.tif 000007
【図６】
2010003413.tif 000008
【図７】
2010003413.tif 000009
【図８】
2010003413.tif 000010